(57)【要約】【課題】ユーザに正確にファン等の冷却手段の異常停止を知らせることができる情報記録装置を提供する。【解決手段】制御部４は、温度センサ２が検出したハードディスクドライブ１の内部温度値から温度センサ３が検出した製品周囲温度値を差し引いてΔｔを算出し、Δｔを所定のしきい値と比較し、その比較結果に応じてＯＳＤ表示部５に警告表示のための画像信号を生成させるか否かを制御する。【選択図】図１
2007234142.tif 000002
【特許請求の範囲】
【請求項１】
ハードディスクドライブと、該ハードディスクドライブの内部温度を検出する第一の温度検出手段と、製品周囲温度を検出する第二の温度検出手段と、表示手段に警告表示させるための警告信号を生成する警告手段と、
前記第一の温度検出手段が検出した温度値から前記第二の温度検出手段が検出した温度値を差し引いた値である温度差分値を算出し、該温度差分値を所定のしきい値と比較し、該比較結果に基づき前記警告手段に前記警告信号を生成させたりさせなかったりするような制御手段と、
を備えることを特徴とする情報記録装置。
【請求項２】
ハードディスクドライブと、該ハードディスクドライブの内部温度を検出する第一の温度検出手段と、製品周囲温度を検出する第二の温度検出手段と、警告するための警告信号を生成する警告手段と、
前記第一の温度検出手段が検出した温度値から前記第二の温度検出手段が検出した温度値を差し引いた値である温度差分値を算出し、該温度差分値を所定のしきい値と比較し、該比較結果に基づき前記警告手段に前記警告信号を生成させたりさせなかったりするような制御手段と、
を備えることを特徴とする情報記録装置。
【発明の詳細な説明】
【技術分野】
【０００１】
本発明は、情報記録装置に関する。
【背景技術】
【０００２】
ハードディスクドライブを備える情報記録装置、例えば、ハードディスクレコーダは、製品内部を冷却するためのファンを有している。このファンがなんらかの原因により異常停止してしまうと、製品内部温度が上昇し製品の故障につながるため、ファンの異常停止を検知し、ユーザにそれを知らせる必要がある。
【０００３】
従来、その方法としては、ハードディスクドライブ内部に設けられた温度センサが検出する温度値（以下、ＳＭＡＲＴ値と呼ぶ）を監視し、ＳＭＡＲＴ値が所定のしきい値を超えた場合に、ファンが異常停止したことをユーザに警告することをしていた。
【０００４】
例えば、ファンが正常動作時に室温が２５℃に対してＳＭＡＲＴ値が室温よりも１０℃高い３５℃、ファンが異常停止時に室温が２５℃に対してＳＭＡＲＴ値が室温よりも２５℃高い５０℃のような場合、上記しきい値として例えば４５℃とすれば、ファンが異常停止したことをユーザに知らせることができる。
【０００５】
なお、本発明に関連するものとして、例えば特許文献１に、ハードディスクに通常の使用状態よりも高い温度負荷を与え、そのときのハードディスクのエラーに基づき故障予測を行うものが開示されている。
【特許文献１】特開２００５−２２１４１３号公報
【発明の開示】
【発明が解決しようとする課題】
【０００６】
しかし、上記のＳＭＡＲＴ値としきい値とを比較する方法では、例えば、ファンが正常動作時に室温が４０℃に対してＳＭＡＲＴ値が室温よりも１０℃高い５０℃の場合、上記しきい値が４５℃であるため、ＳＭＡＲＴ値がしきい値を超え、ファンが正常動作をしているにもかかわらず、ユーザにファンが異常停止したことを誤警告してしまうという問題がある。
【０００７】
一方、このようなことが起こらないようにしきい値を例えば５５℃に設定すると、今度は上記ファンが異常停止時のＳＭＡＲＴ値である５０℃がしきい値よりも小さくなり、ファンが異常停止しているにもかかわらず、ユーザに警告することができない。
【０００８】
このように、従来のＳＭＡＲＴ値としきい値とを比較する方法では、ユーザに正確にファンの異常停止を知らせることが難しい。
【０００９】
本発明は上記問題点を鑑み、ユーザに正確にファン等の冷却手段の異常停止を知らせることができる情報記録装置を提供することを目的とする。
【課題を解決するための手段】
【００１０】
上記目的を達成するために本発明の情報記録装置は、ハードディスクドライブと、該ハードディスクドライブの内部温度を検出する第一の温度検出手段と、製品周囲温度を検出する第二の温度検出手段と、警告するための警告信号を生成する警告手段と、
前記第一の温度検出手段が検出した温度値から前記第二の温度検出手段が検出した温度値を差し引いた値である温度差分値を算出し、該温度差分値を所定のしきい値と比較し、該比較結果に基づき前記警告手段に前記警告信号を生成させたりさせなかったりするような制御手段と、を備えることを特徴としている。警告は例えば表示により行えばよい。このような構成によれば、ユーザに正確にファン等の冷却手段の異常停止を知らせることができる。
【発明の効果】
【００１１】
本発明の情報記録装置によれば、ユーザに正確にファン等の冷却手段の異常停止を知らせることができる。
【発明を実施するための最良の形態】
【００１２】
本発明の実施形態について以下図面を参照し説明する。
【００１３】
図１は、本発明に係る情報記録装置の構成のうち、本発明の特徴的な動作であるファン動作監視動作に関わる構成のみを示したブロック図である。本発明は、ハードディスクドライブを備えるあらゆる情報記録装置（例えば、ハードディスクレコーダやハードディスクドライブを備える複合型ＤＶＤレコーダ）に適用することができる。
【００１４】
ハードディスクドライブ１は、映像信号や音声信号を内蔵するハードディスクに記録したり、ハードディスクから読み出したりする装置である。また、温度センサ２は、ハードディスクドライブ１の内部に設けられ、ハードディスクドライブ１の内部温度を検出するセンサである。温度センサ２の検出する温度値が前述したＳＭＡＲＴ値である。
【００１５】
温度センサ３は、情報記録装置の周囲温度を検出するセンサである。制御部４はマイコン等から構成される。ＯＳＤ（Ｏｎ  Ｓｃｒｅｅｎ  Ｄｉｓｐｌａｙ）表示部５は、制御部４からの指示に基づき図形や文字の画像信号を生成する。ビデオエンコーダ６は、ＯＳＤ表示部５が生成した画像信号をコンポジット信号に変換し、情報記録装置に接続された不図示のテレビ等の表示装置に送出する。
【００１６】
次に、以上のような構成の情報記録装置が行うファン動作監視動作について図２のフローチャートに沿って説明する。
【００１７】
ファン動作監視動作が開始されると、まずステップＳ２０で、制御部４は、温度センサ２で検出されたＳＭＡＲＴ値を取得する。
【００１８】
次に、ステップＳ２１で、制御部４は、温度センサ３で検出された製品周囲温度値を取得する。
【００１９】
そして、ステップＳ２２で、制御部４は、上記ステップＳ２０で取得されたＳＭＡＲＴ値から上記ステップＳ２１で取得された製品周囲温度値を差し引き、Δｔを算出する。
【００２０】
そして、ステップＳ２３で、制御部４は、上記で算出されたΔｔを所定のしきい値と比較し、もし、Δｔがしきい値よりも大きければ（ステップＳ２３のＹ）、ファンが異常停止しているものとして、ＯＳＤ表示部５に警告表示をするよう指示し、ＯＳＤ表示部５は警告表示のための画像信号を生成する。そして、ビデオエンコーダ６が、ＯＳＤ表示部５が生成した画像信号をコンポジット信号に変換し、不図示の表示装置に送出する。すると、表示装置の画面には、例えば、「ファンを確認してください」と警告表示される。なお、警告については音声で行うようにしてもよい。
【００２１】
また、もし、Δｔがしきい値以下であれば（ステップＳ２３のＮ）、ファンは正常に動作しているものとしてファン動作監視動作は終了する。
【００２２】
例えば、前述と同様に、ファンが正常動作時において室温が２５℃に対してＳＭＡＲＴ値が室温よりも１０℃高い３５℃、また、室温が４０℃に対してＳＭＡＲＴ値が室温よりも１０℃高い５０℃であり、ファンが異常停止時において室温が２５℃に対してＳＭＡＲＴ値が室温よりも２５℃高い５０℃のような場合に、上記しきい値を例えば２０℃と設定する。すると、ファンが正常動作時において、算出されるΔｔは１０℃であり、しきい値よりも小さいので警告表示はされず、誤警告は生じない。また、ファンが異常動作時において、算出されるΔｔは２５℃であり、しきい値よりも大きいので警告表示がされる。このように本発明によれば、従来よりも正確にユーザにファンの異常停止を知らせることができる。
【００２３】
ここで、ファンの冷却能力の製品個体差やハードディスクドライブの部品発熱の製品個体差等により、ファン正常動作時およびファン異常停止時のいずれにおいても上記Δｔにバラツキが生じる。そこで、予めファン正常動作時およびファン停止時のそれぞれについてΔｔを複数サンプル測定し、ファン正常動作時におけるΔｔのサンプル値の最大値より大きく、ファン停止時におけるΔｔのサンプル値の最小値よりも小さくなるような値に上記のしきい値が設定されることが望ましい。これにより、製品のほぼ全個体についてファン動作の正常か異常かの判定が正確になされ、ユーザに正確にファンの異常停止を知らせることができる。
【００２４】
なお、本発明は、ファン以外の製品内部を冷却する手段を備える情報記録装置にも適用可能である。
【図面の簡単な説明】
【００２５】
【図１】は、本発明に係る情報記録装置の構成の一部を示すブロック図である。
【図２】は、本発明に係る情報記録装置が行うファン動作監視動作の手順を示すフローチャートである。
【符号の説明】
【００２６】
１    ハードディスクドライブ
２    温度センサ
３    温度センサ
４    制御部
５    ＯＳＤ表示部
６    ビデオエンコーダ
【図１】
2007234142.tif 000003
【図２】
2007234142.tif 000004